【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
表示パネルと、
前記表示パネル上に配置されたタッチパネルとを備える表示装置であって、
前記表示パネルは、半導体チップを有し、
前記タッチパネルは、タッチパネル基板と、
前記タッチパネル基板上に形成され、且つ平面的に見て前記半導体チップと重畳する位置に配置された第１の電極を有し、
前記第１の電極には所定の電圧が供給されていることを特徴とする表示装置。
【請求項２】
前記タッチパネルは、タッチ位置を検出可能なタッチ領域と、前記タッチ領域に形成されたタッチ位置を検出する第２の電極とを有し、
前記第１の電極は、前記タッチ領域の外側に配置されていることを特徴とする請求項１に記載の表示装置。
【請求項３】
前記表示パネルは、前記半導体チップが搭載される側の辺に表示パネル用のフレキシブル配線基板を有し、
前記タッチパネル基板の前記第１の電極が形成される側と反対側には、タッチパネル用のフレキシブル配線基板が接続され、
前記タッチパネル基板上で、前記第１の電極が形成される辺と直交する２辺の少なくとも１辺の周辺部に形成される第１の電極用配線とを有し、
前記第１の電極には、前記第１の電極用配線を介して、前記タッチパネル用のフレキシブル配線基板から前記所定の電圧が供給されていることを特徴とする請求項２に記載の表示装置。
【請求項４】
前記第２の電極は、Ｘ電極およびＹ電極を有し、
前記タッチパネル基板上の、前記第１の電極が形成される辺と直交する２辺の周辺部には、前記Ｘ電極と前記Ｙ電極に接続される第２の電極用配線が形成され、
前記第１の電極用配線は、前記第２の電極用配線の外側に形成されていることを特徴とする請求項３に記載の表示装置。
【請求項５】
前記第２の電極は、Ｘ電極およびＹ電極を有し、
前記タッチパネルは、前記Ｘ電極および前記Ｙ電極上に形成された層間絶縁膜と、
前記層間絶縁膜上に形成された少なくとも１本の第１の電極用透明配線とを有し、
前記第１の電極には、前記少なくとも１本の第１の電極用透明配線を介して、前記タッチパネル用のフレキシブル配線基板から前記所定の電圧が供給されていることを特徴とする請求項３に記載の表示装置。
【請求項６】
前記第２の電極は、Ｘ電極およびＹ電極を有し、
前記タッチパネルは、前記Ｘ電極あるいは前記Ｙ電極の隙間に形成された少なくとも１本の第１の電極用透明配線を有し、
前記第１の電極には、前記少なくとも１本の第１の電極用透明配線を介して、前記タッチパネル用のフレキシブル配線基板から前記所定の電圧が供給されていることを特徴とする請求項３に記載の表示装置。
【請求項７】
前記表示パネルは、前記所定の電圧が供給されている導電部を有し、
前記第１の電極には、前記導電部を介して、前記所定の電圧が供給されていることを特徴とする請求項１又は請求項２に記載の表示装置。
【請求項８】
前記表示パネルは、ＩＰＳ方式の液晶表示パネルであり、
前記表示パネルの前記タッチパネルと対向する側の基板には、裏面透明導電膜が形成され、
前記導電部は、前記裏面透明導電膜に電気的に接続されることを特徴とする請求項７に記載の表示装置。
【請求項９】
前記表示パネルは、前記半導体チップが搭載される側の辺に表示パネル用のフレキシブル配線基板を有し、
前記第１の電極には、導電部材を介して、前記表示パネル用のフレキシブル配線基板から前記所定の電圧が供給されていることを特徴とする請求項１又は請求項２に記載の表示装置。
【請求項１０】
前記表示パネルは、前記所定の電圧が供給される金属フレームを有し、
前記第１の電極には、導電部材を介して、前記表示パネルの前記金属フレームから前記所定の電圧が供給されていることを特徴とする請求項１又は請求項２に記載の表示装置。
【請求項１１】
前記第１の電極は、第１透明導電膜、金属膜、および第２透明導電膜の多層構造で構成されることを特徴とする請求項１ないし請求項１０のいずれか１項に記載の表示装置。
【請求項１２】
表示パネルと、
前記表示パネル上に配置され、Ｘ電極およびＹ電極を有するタッチパネルとを備える表示装置であって、
前記表示パネルは、半導体チップを有し、
前記タッチパネルは、前記Ｘ電極および前記Ｙ電極が形成されるタッチパネル基板と、
前記Ｘ電極および前記Ｙ電極上に形成された層間絶縁膜と、
前記層間絶縁膜上に形成された少なくとも１本のシールド電極用透明配線と、
前記タッチパネル基板上で、前記表示パネルの前記半導体チップ上の領域に形成されるシールド電極とを有し、
前記タッチパネル基板の前記シールド電極が形成される側と反対側には、タッチパネル用のフレキシブル配線基板が接続され、
前記シールド電極には、前記少なくとも１本のシールド電極用透明配線を介して、前記タッチパネル用のフレキシブル配線基板から所定の電圧が供給されていることを特徴とする表示装置。
【請求項１３】
表示パネルと、
前記表示パネル上に配置され、Ｘ電極およびＹ電極を有するタッチパネルとを備える表示装置であって、
前記表示パネルは、半導体チップを有し、
前記タッチパネルは、タッチパネル基板と、
前記タッチパネル基板上に形成された少なくとも１本のシールド電極用透明配線と、
前記タッチパネル基板上で、前記表示パネルの前記半導体チップ上の領域に形成されるシールド電極とを有し、
前記タッチパネル基板の前記シールド電極が形成される側と反対側には、タッチパネル用のフレキシブル配線基板が接続され、
前記シールド電極には、前記少なくとも１本のシールド電極用透明配線を介して、前記タッチパネル用のフレキシブル配線基板から所定の電圧が供給されていることを特徴とする表示装置。
【請求項１４】
表示パネルと、
前記表示パネル上に配置され、Ｘ電極およびＹ電極を有するタッチパネルとを備える表示装置であって、
前記表示パネルは、半導体チップを有し、
前記タッチパネルは、前記Ｘ電極および前記Ｙ電極が形成されるタッチパネル基板と、
前記Ｘ電極あるいはＹ電極の隙間に形成された少なくとも１本のシールド電極用透明配線と、
前記タッチパネル基板上で、前記表示パネルの前記半導体チップ上の領域に形成されるシールド電極とを有し、
前記タッチパネル基板の前記シールド電極が形成される側と反対側には、タッチパネル用のフレキシブル配線基板が接続され、
前記シールド電極には、前記少なくとも１本のシールド電極用透明配線を介して、前記タッチパネル用のフレキシブル配線基板から所定の電圧が供給されていることを特徴とする表示装置。
【請求項１５】
表示パネルと、
前記表示パネル上に配置され、Ｘ電極およびＹ電極を有するタッチパネルとを備える表示装置であって、
前記表示パネルは、半導体チップと、
所定の電圧が供給されている導電部とを有し、
前記タッチパネルは、タッチパネル基板と、
前記タッチパネル基板上で、前記表示パネルの前記半導体チップ上の領域に形成されるシールド電極とを有し、
前記タッチパネル基板の前記シールド電極が形成される側と反対側には、タッチパネル用のフレキシブル配線基板が接続され、
前記シールド電極には、導電部材を介して、前記表示パネルの前記導電部から前記所定の電圧が供給されていることを特徴とする表示装置。
【請求項１６】
前記表示パネルは、ＩＰＳ方式の液晶表示パネルであり、
前記表示パネルの前記タッチパネルと対向する側の基板には、裏面透明導電膜が形成され、
前記導電部は、前記裏面透明導電膜に電気的に接続されることを特徴とする請求項１５に記載の表示装置。
【請求項１７】
表示パネルと、
前記表示パネル上に配置され、Ｘ電極およびＹ電極を有するタッチパネルとを備える表示装置であって、
前記表示パネルは、半導体チップを有し、
前記表示パネルの前記半導体チップが搭載される側の辺には、表示パネル用のフレキシブル配線基板が接続され、
前記タッチパネルは、タッチパネル基板と、
前記タッチパネル基板上で、前記表示パネルの前記半導体チップ上の領域に形成されるシールド電極とを有し、
前記タッチパネル基板の前記シールド電極が形成される側と反対側には、タッチパネル用のフレキシブル配線基板が接続され、
前記シールド電極には、導電部材を介して、前記表示パネル用のフレキシブル配線基板から所定の電圧が供給されていることを特徴とする表示装置。
【請求項１８】
表示パネルと、
前記表示パネル上に配置され、Ｘ電極およびＹ電極を有するタッチパネルとを備える表示装置であって、
前記表示パネルは、半導体チップと、
所定の電圧が供給される金属フレームとを有し、
前記タッチパネルは、タッチパネル基板と、
前記タッチパネル基板上で、前記表示パネルの前記半導体チップ上の領域に形成されるシールド電極とを有し、
前記タッチパネル基板の前記シールド電極が形成される側と反対側には、タッチパネル用のフレキシブル配線基板が接続され、
前記シールド電極には、導電部材を介して、前記表示パネルの前記金属フレームから前記所定の電圧が供給されていることを特徴とする表示装置。
【請求項１９】
前記シールド電極は、第１透明導電膜、金属膜、および第２透明導電膜の多層構造で構成されることを特徴とする請求項１２ないし請求項１８のいずれか１項に記載の表示装置。
【請求項２０】
半導体チップを有する表示パネルと、
前記表示パネル上に配置された第１の電極と第２の電極とを備える表示装置であって、
前記第１の電極は、平面的に見て前記半導体チップと重畳する位置に配置され、
前記第２の電極は、タッチ位置を検出する電極であり、
前記第１の電極には所定の電位が供給されていることを特徴とする表示装置。
【請求項２１】
前記第１の電極と前記第２の電極とは同層に形成され、
前記第２の電極は、タッチ位置を検出可能なタッチ領域に位置し、
前記第１の電極は、前記タッチ領域の外側に位置していることを特徴とする請求項２０に記載の表示装置。